(57)【要約】【課題】  その目的とするところは冊子を開封したときに矩形領域が飛び出し矩形領域を見落とすことがない冊子を提供することにある。【解決手段】  表表紙と裏表紙と本紙を備え、表表紙と裏表紙と全ての本紙が背側の第１の接着部で接合され、表表紙と裏表紙と少なくとも表表紙の裏面に接する第１の本紙が小口側の第２の接着部で接合され、且つ第２の接着部より背側に寄った位置に開封用ミシン目が備えられ開封用ミシン目にて小口側を切除することで見開き可能な冊子であって、第１の本紙の一部に矩形領域が、開封用ミシン目と切離し部と上縁、開封用ミシン目と切離し部と下縁、または開封用ミシン目と切離し部により区画され、矩形領域の背側寄りの部分が相対する表表紙の裏面と第３の接着部により接合され開封用ミシン目にて小口側を切除し表表紙を捲り上げると表表紙に接合した矩形領域のみ表表紙に追従する冊子である。【選択図】        図３
2014136339.tif 000002
【特許請求の範囲】
【請求項１】
表表紙と裏表紙と本紙を備え、
表表紙と裏表紙と全ての本紙が背側にて第１の接着部にて接合されており、
表表紙と裏表紙と少なくとも表表紙の裏面に接する第１の本紙とが小口側にて第２の接着部にて接合されており、且つ、第２の接着部に沿った第２の接着部より背側に寄った位置に開封用ミシン目が備えられており、
開封用ミシン目にて小口側を切除することで見開き可能とする冊子であって、
前記第１の本紙の一部に矩形領域が、前記開封用ミシン目と切離し部と上縁、前記開封用ミシン目と切離し部と下縁、または前記開封用ミシン目と切離し部により区画されており、
前記矩形領域の背側寄りの部分が相対する前記表表紙の裏面と第３の接着部により接合しており、
前記開封用ミシン目にて小口側を切除して、前記表表紙を捲り上げると前記表表紙に接合した前記矩形領域のみ前記表表紙に追従することを特徴とする冊子。
【請求項２】
前記第１の接着部、前記第２の接着部に対し、前記第３の接着部が弱い接着力であることを特徴とする請求項１に記載の冊子。
【請求項３】
前記表表紙の前記開封用ミシン目、前記裏表紙の前記開封用ミシン目に対し、前記第１の本紙の前記開封用ミシン目が切れ易いことを特徴とする請求項１又は２に記載の冊子。
【請求項４】
前記第１の本紙以外の本紙の小口側端縁が前記開封用ミシン目よりも背側に後退していることを特徴とする請求項１〜３のいずれかに記載の冊子。
【請求項５】
前記矩形領域が背側と小口側が対向する方向を長辺とし、前記上縁と前記下縁が対向する方向を短辺とすることを特徴とする請求項１〜４のいずれかに記載の冊子。
【発明の詳細な説明】
【技術分野】
【０００１】
本発明は、商品カタログ、パンフレット等を冊子の状態で郵送、宅配等をすることができ、受取手（顧客）に提供する例えばクーポン券等の特典情報を備えた見開き可能な冊子に関する。詳しくは、冊子を開封し、表表紙を捲り上げると矩形領域のみ表表紙に追従して飛び出し、矩形領域に備えられた特典情報を提供できる冊子に関する。
【背景技術】
【０００２】
商品情報やサービスなどを顧客に伝える広告手法とて電子メール等の電子媒体を利用することも増えているが，商品カタログ、パンフレット等を冊子の状態で顧客に郵送、宅配等によるダイレクトメールを利用して届けることも依然として多用されている。しかも、送り手（企業）が商品等の販売促進効果を高めるために冊子にクーポン券等の特典情報を綴じこむ手法が多用されている（例えば、特許文献１、特許文献２参照）。ダイレクトメールを開封し、
特許文献１の冊子状印刷物は一対の表紙の間に表紙より小さい寸法の冊子中紙片が挿入され綴じ部で冊子中紙片と表紙が綴じられ一体化されたものであって、冊子中紙片の綴じ部の内側に内側綴じ部を設け、綴じ部と内側綴じ部との間にミシン目線を設けることにより、例えば、クーポン券、優待券などを提供する場合にミシン目より該券を切取ることができるものである。
特許文献２のパーソナル小冊子は顧客の固有情報が印字された第１固有情報と、特典情報等の共通情報とを備えたものであって、特典情報はそれぞれ切取手段で切り離し可能になっているものである。
そして、特典情報として割引チケット等を設けたことが開示されている。
【０００３】
しかしながら、特許文献１、特許文献２に開示された冊子は、特典情報の部分が切取可能とされているものの、冊子の中に綴じこまれた状態となっているために顧客によっては流し読みにより特典情報部分を見落としてしまうという問題がある。
【先行技術文献】
【特許文献】
【０００４】
【特許文献１】特開２０１０−２６９４４８号公報
【特許文献２】特開２００５−７６８３号公報
【発明の概要】
【発明が解決しようとする課題】
【０００５】
そこで本発明は、上記問題を解決すべくなされたものであり、その目的とするところは冊子を開封したときに矩形領域が飛び出し矩形領域を見落とすことがない冊子を提供することにある。
【課題を解決するための手段】
【０００６】
本発明は、上記課題を達成するために、請求項１記載の本発明は、表表紙と裏表紙と本紙を備え、表表紙と裏表紙と全ての本紙が背側にて第１の接着部にて接合されており、表表紙と裏表紙と少なくとも表表紙の裏面に接する第１の本紙とが小口側にて第２の接着部にて接合されており、且つ、第２の接着部に沿った第２の接着部より背側に寄った位置に開封用ミシン目が備えられており、開封用ミシン目にて小口側を切除することで見開き可能とする冊子であって、前記第１の本紙の一部に矩形領域が、前記開封用ミシン目と切離し部と上縁、前記開封用ミシン目と切離し部と下縁、または前記開封用ミシン目と切離し部により区画されており、前記矩形領域の背側寄りの部分が相対する前記表表紙の裏面と第３の接着部により接合しており、前記開封用ミシン目にて小口側を切除して、前記表表紙を捲り上げると前記表表紙に接合した前記矩形領域のみ前記表表紙に追従することを特徴とする冊子である。
【０００７】
また、請求項２記載の本発明は、請求項１に記載の冊子において、前記第１の接着部、前記第２の接着部に対し、前記第３の接着部が弱い接着力であることを特徴とするものである。
【０００８】
また、請求項３記載の本発明は、請求項１又は２に記載の冊子において、前記表表紙の前記開封用ミシン目、前記裏表紙の前記開封用ミシン目に対し、前記第１の本紙の前記開封用ミシン目が切れ易いことを特徴とするものである。
【０００９】
また、請求項４記載の本発明は、請求項１〜３のいずれかに記載の冊子において、前記第１の本紙以外の本紙の小口側端縁が前記開封用ミシン目よりも背側に後退していることを特徴とするものである。
【００１０】
また、請求項５記載の本発明は、請求項１〜４のいずれかに記載の冊子において、前記矩形領域が背側と小口側が対向する方向を長辺とし、前記上縁と前記下縁が対向する方向を短辺とすることを特徴とするものである。
【発明の効果】
【００１１】
本発明の冊子は、表表紙と裏表紙と本紙を備え、表表紙と裏表紙と全ての本紙が背側にて第１の接着部にて接合されており、表表紙と裏表紙と少なくとも表表紙の裏面に接する第１の本紙とが小口側にて第２の接着部にて接合されており、且つ、第２の接着部に沿った第２の接着部より背側に寄った位置に開封用ミシン目が備えられており、開封用ミシン目にて小口側を切除することで見開き可能とする冊子であって、前記第１の本紙の一部に矩形領域が、前記開封用ミシン目と切離し部と上縁、前記開封用ミシン目と切離し部と下縁、または前記開封用ミシン目と切離し部により区画されており、前記矩形領域の背側寄りの部分が相対する前記表表紙の裏面と第３の接着部により接合しており、前記開封用ミシン目にて小口側を切除して、前記表表紙を捲り上げると前記表表紙に接合した前記矩形領域のみ前記表表紙に追従する構成とすることにより、
冊子を開封し、表表紙を捲り上げると矩形領域のみが切り離されて表表紙の裏面に第３の接着部により接合されたまま追従し、しかも接合されている第３の接着部が矩形領域の背側寄りに設けられているので、矩形領域の小口側が下方に垂れ下がった状態となり、顧客にとっては当該矩形領域が飛び出してくるように見えるので見逃すことがないというアイキャッチ効果がある。この矩形領域に例えばクーポン券等の特典情報を備えることにより、顧客に対し、特典情報を提供できると共に、商品の販売促進効果を高めることが可能となる。
【００１２】
また、請求項２記載の本発明は、第３の接着部の接着力が第１の接着部および第２の接着部の接着力より弱い接着力とされていることにより、上記効果に加え、表表紙の裏面に接合した矩形領域を表表紙より剥離できるので、例えばクーポン券として使用できる。
【００１３】
また、請求項３記載の本発明は、上記効果に加え、表表紙の開封用ミシン目、裏表紙の開封用ミシン目に対し、第１の本紙の開封用ミシン目が切れ易い構成とすることにより、表表紙を捲り上げた際、矩形領域のみを容易に切離すことができるという効果がある。
【００１４】
また、請求項４記載の本発明は、上記効果に加え、第１の本紙以外の本紙の小口側端縁が開封用ミシン目よりも背側に後退している構成とすることにより、開封用ミシン目により表表紙、裏表紙および第１の本紙を切り取るだけで開封できるので開封が容易になる。
【００１５】
また、請求項５記載の本発明は、上記効果に加え、矩形領域が背側と小口側が対向する方向を長辺とし、上縁と下縁が対向する方向を短辺とする構成とすることにより、表表紙を捲り上げた際、矩形領域の小口側が下方により垂れ下がるので切離された矩形領域が強調され顧客に対してアイキャッチ効果を一層高めることができる。
【図面の簡単な説明】
【００１６】
【図１】本発明に係る冊子の一実施形態を示す平面図と断面図である。
【図２】本発明に係る冊子の一実施形態を示す分解斜視図である。
【図３】本発明に係る冊子の開封後、表表紙を捲り上げた状態を示す説明図である。
【図４】本発明に係る冊子の製造方法の一実施例を説明する図である。
【発明を実施するための形態】
【００１７】
上記の本発明について、図面等を用いて以下に詳述する。
【００１８】
図１は本発明に係る冊子の一実施形態を示し、（イ）は平面図、（ロ）はＸ−Ｘ線断面図、（ハ）はＹ−Ｙ線断面図、図２は本発明に係る冊子の一実施形態を示す分解斜視図、図３は本発明に係る冊子の開封後、表表紙を捲り上げた状態を示す説明図、図４は本発明に係る冊子の製造方法の一実施例を説明する図であり、図中の１は冊子、２は背側、３は第１の接着部、４は小口側、５は第２の接着部、６は開封用ミシン目、７は上縁、８は下縁、９は第３の接着部、３ａ、５ａ、９ａは接着剤、１０は表表紙、１１は送り先宛名、２０は裏表紙、３０は本紙、３１は第１の本紙、３２は第１の本紙以外の本紙、３１０は矩形領域、３１０’は矩形領域切離し片、３１１は切離し部、６１０は表表紙の開封用ミシン目、６２０は裏表紙の開封用ミシン目、６３１は第１の本紙の開封用ミシン目、Ｍはマージナルパンチ孔、Ｓはスリット線、Ｃはミシン目をそれぞれ示す。
【００１９】
図１は本発明に係る冊子の一実施形態を示し、（イ）は平面図、（ロ）は切離し部に交差する位置におけるＸ−Ｘ線断面図、（ハ）はＹ−Ｙ線断面図、図２は本発明に係る冊子の一実施形態を示す分解斜視図であって、図１、図２に示すように本発明の冊子１は、矩形の表表紙１０と、裏表紙２０と、本紙３０としての第１の本紙３１と１枚の第１の本紙以外の本紙３２とを備え、表表紙１０、第１の本紙３１、第１の本紙以外の本紙３２、裏表紙２０が順次重ねられ、背側２にて第１の接着部３にて接着剤３ａにより接合されている。
表表紙１０と第１の本紙３１と裏表紙２０は同じ大きさであり、第１の本紙以外の本紙３２は図１（イ）における冊子１の上下方向の端縁間、すなわち上縁７と下縁８間の長さは同じであるが、図１（イ）における冊子１の左右方向の端縁間、すなわち背側２と小口側４間の長さは図１（ロ）に示すように短くなっている。
そして、表表紙１０と裏表紙２０と少なくとも表表紙１０の裏面に接する第１の本紙３１とが小口側４にて第２の接着部５にて接着剤５ａにより接合されており、且つ、第２の接着部５に沿った第２の接着部５より背側２に寄った位置に開封用ミシン目６が備えられている。第１の本紙以外の本紙３２は冊子１の左右方向の長さより短くなっているので小口側４の端縁が開封用ミシン目６よりも背側２に後退して構成されている。
第１の本紙以外の本紙３２は１枚の例を示したが複数にすることもできる。また、第１の本紙以外の本紙３２の大きさは第１の本紙３１と同じにすることもできるが、その場合、第１の本紙３１と同様に開封用ミシン目６を設ける必要がある。しかし、後述するが一実施形態のように第１の本紙以外の本紙３２の左右方向の長さを短くした方が、開封用ミシン目の切除が容易になるので好ましい。なお、本願明細書では、表表紙１０、裏表紙２０および第１の本紙に備えた開封用ミシン目について符号６１０、６２０および６３１を付したが、これらを総称して開封用ミシン目６として示すこととする。
【００２０】
また、表表紙１０の表面には送り先宛名１１が印字され、左上にはゆうメール等の表示がされている。そして、冊子１の第１の接着部３に沿った第１の接着部３より小口側４に寄った位置にミシン目Ｃが、表表紙１０、第１の本紙３１、第１の本紙以外の本紙３２、および裏表紙２０の全ての紙片に設けられている。当該ミシン目Ｃは各紙片を折り曲げて見開き状態を維持できる、あるいは必要な本紙３０を適宜ミシン目Ｃで切り離すことができるので顧客に便利性を与えることができので設ける方が好ましい。本願明細書では第１の本紙３１、第１の本紙以外の本紙３２を含めて本紙３０と呼称することとする。
【００２１】
図２は本発明に係る冊子の一実施形態を示す分解斜視図であって、冊子１は、下から上に向かって裏表紙２０、第１の本紙以外の本紙３２、第１の本紙３１、表表紙１０が順次重ねられ背側２にて第１の接着部３で接合されており、表表紙１０と第１の本紙３１と裏表紙２０とが小口側４にて第２の接着部５で接合された構成である。図２に示すように表表紙１０の裏面に接する第１の本紙３１には右上隅に矩形領域３１０が設けられている。矩形領域３１０は第１の本紙の開封用ミシン目６３１と切離し部３１１と上縁７により区画されている。切離し部３１１は上縁７と第１の本紙の開封用ミシン目６３１とを連結するＬ字で形成され矩形領域３１０を区画している。切離し部３１１は全カットでもよいが、部分的にアンカットを設けてもよい。切離し部３１１は第１の本紙の開封用ミシン目６３１と交差し、少し小口側４に伸びて形成する方が、開封用ミシン目６にて小口側４を切除して開封し、表表紙１０を捲り上げた際、表表紙１０に接合した矩形領域３１０のみが切離されて表表紙１０により追従しやすくなるので好ましい。
【００２２】
また、矩形領域３１０は上記位置に限定されるものではなく、第１の本紙３１の右下隅に図示しないが第１の本紙の開封用ミシン目６３１と切離し部３１１と下縁８により区画して設けてもよい。この場合には図２の切離し部３１１を上下反転させたＬ字とし、下縁８と第１の本紙の開封用ミシン目６３１とを連結するように設け矩形領域３１０を区画すればよい。または上縁７と下縁８で挟まれた領域の中間に第１の本紙の開封用ミシン目６３１と切離し部３１１により区画して設けてもよい。ただし、中間に設ける場合には図示しないが切離し部３１１はコの字で開いた側が第１の本紙の開封用ミシン目６３１と接するか、または交差するように設ける。
図２に示すように矩形領域３１０は背側２と小口側４が対向する方向を長辺とし、上縁７と下縁８が対向する方向を短辺とする長方形で形成する方が好ましい。その理由は開封用ミシン目６にて小口側４を切除して開封し、表表紙１０を捲り上げた際、矩形領域３１０の小口側４が下方により垂れ下がる（図３参照）のでアイキャッチ効果を一層高めることができる。
また、矩形領域３１０の背側２寄りの部分が相対する表表紙１０の裏面と第３の接着部９により接合されている。第３の接着部９はエマルジョン型接着剤等により剥離可能にスポット接着させることが好ましい。第３の接着部９を背側２寄りの部分に設けるのは、上記理由により開封用ミシン目６にて小口側４を切除して開封し、表表紙１０を捲り上げた際、矩形領域３１０の小口側４が下方により垂れ下がり（図３参照）アイキャッチ効果を一層高めるためである。
【００２３】
つぎに図１〜図３を参照しながら本発明の冊子１の開封方法を説明する。冊子１をダイレクトメール等で受取った顧客は開封用ミシン目６にて小口側４を切除して開封する。つぎに表表紙１０を捲り上げると第１の本紙３１に設けられた矩形領域３１０が第３の接着部９において表表紙１０の裏面に接合されているので矩形領域３１０のみが切離し部３１１で第１の本紙３１より切離され、切離された矩形領域切離し片３１０’は表表紙１０に追従し、図３に示すように矩形領域切離し片３１０’が飛び出したように見えるので矩形領域切離し片３１０’に対して顧客にインパクトと興味を与えることができ、矩形領域切離し片３１０’に記載された特典情報としてのクーポン券を見逃すことがない。その後、ミシン目Ｃで折り返し見開き状態にして記載された情報を閲覧する。なお、特典情報としてクーポン券の例を示したが、限定されるものではなく顧客に優先的に伝えたいサービス情報を掲載できる。また、顧客から返信が必要な場合には矩形領域３１０を返信葉書とすることもでき、この場合には第１の本紙３１の用紙に郵便法の規定に基づいた坪量の用紙を用いる。
【００２４】
つぎに、図２を参照しながら本発明の要部について説明する。本発明の冊子１は第１の接着部３、第２の接着部５、および第３の接着部９を備え、第１の接着部３および第２の接着部５は強接着とし、第１の接着部３、第２の接着部５に対し、第３の接着部９が弱い接着力にすることが好ましい。そうすることにより、冊子の郵送、宅配等のときに受ける外部からの衝撃やハンドリング時の外力により第１の接着部３および第２の接着部５より剥離することがない。そして、顧客が冊子１を開封後、表表紙１０の裏面より矩形領域３１０を容易に剥がすことができる。
【００２５】
また、本発明の冊子１は開封用ミシン目６、見開き用のミシン目Ｃ、および切離し部３１１を備え、それぞれの役割を分担させたことも特徴である。表表紙の開封用ミシン目６１０、第１の本紙の開封用ミシン目６３１、および裏表紙の開封用ミシン目６２０の全ての開封用ミシン目６は切り目（カット）の長さを１．０ｍｍ〜１０．０ｍｍ、非切り目（アンカット）の長さを０．５ｍｍ〜２．０ｍｍとするのが好ましく、郵送、宅配時あるいはハンドリングにおいて開封用ミシン目６から外力や衝撃により開封することが防げ、開封時に開封用ミシン目６より小口側４を切除し開封を可能とする。
見開き用のミシン目Ｃは、開封後、表表紙１０、第１の本紙３１、第１の本紙以外の本紙３２を見開き状態を維持するため、あるいは必要な紙片を適宜切取可能とするためのものであり、見開き用のミシン目Ｃはカットの長さを０．３ｍｍ〜３．０ｍｍ、アンカットの長さを０．３ｍｍ〜３．０ｍｍ程度でよい。
切離し部３１１は開封用ミシン目６より開封後、表表紙１０を捲り上げた際、矩形領域３１０のみを表表紙１０の裏面に付着した状態で表表紙１０に追従させるために設けるものであり、前記したように全カットもしくは部分的にアンカットを設けてもよい。
上記構成とすることにより、郵送、宅配等において開封されることがない良好な封緘性と、開封時における易開封性と、表表紙を捲り上げた際に矩形領域３１０に記載された特典情報が飛び出して見えるアイキャッチ性とを並立させることができる。
【００２６】
次に図４を参照しながら本発明の冊子の製造方法の一例を説明する。本発明の冊子１は、まず、印刷工程において表表紙１０、第１の本紙３１、第１の本紙以外の本紙３２、裏表紙２０より左右方向が幅広の用紙を用い、それぞれの用紙の片面ないしは両面にオフセット印刷、グラビア印刷、凸版印刷、フレキソ印刷等の印刷方式で印刷されロール状に巻き取られる。印刷時に表表紙１０、第１の本紙３１、裏表紙２０の各幅広の用紙には開封用ミシン目６と必要に応じて見開き用ミシン目Ｃが形成される。第１の本紙以外の本紙３２の幅広の用紙には見開き用のミシン目Ｃが形成される。つぎに、丁合い工程において、印刷された表表紙１０、第１の本紙３１、第１の本紙以外の本紙３２、裏表紙２０の幅広の用紙の各ロールを巻き戻し、図４においては左側（背側）が第１の接着部３で表表紙１０、第１の本紙３１、第１の本紙以外の本紙３２および裏表紙２０の広幅の用紙が接合され、右側（小口側）が第２の接着部５で表表紙１０、第１の本紙３１、および裏表紙２０の広幅の用紙が接合される。第１の接着部３と第２の接着部５は、通称ライングルーと呼ばれる方式にてエマルジョン糊で接合する。なお、第１の本紙３１には接合する前に、所定の切離し部の形状の刃を備えた型を用いて所定の位置に切離し部３１１を形成すると共に所定位置に例えばエマルジョン糊をスポット的に塗布し、表表紙１０の裏面と第３の接着部９で剥離可能に接着される。つぎにスリット線Ｓで流れ方向（上縁７と下縁８が対向する方向）両側をスリットし、さらに流れ方向と交差する方向にカットされ冊子１が製造される。
【符号の説明】
【００２７】
１                        冊子
２                        背側
３                        第１の接着部
３ａ                      接着剤
４                        小口側
５                        第２の接着部
５ａ                      接着剤
６                        開封用ミシン目
７                        上縁
８                        下縁
９                        第３の接着部
９ａ                      接着剤
１０                      表表紙
１１                      送り先宛名
２０                      裏表紙
３０                      本紙
３１                      第１の本紙
３２                      第１の本紙以外の本紙
３１０                    矩形領域
３１０’                  矩形領域切離し片
３１１                    切離し部
６１０                    表表紙の開封用ミシン目
６２０                    裏表紙の開封用ミシン目
６３１                    第１の本紙の開封用ミシン目
Ｍ                        マージナルパンチ孔
Ｓ                        スリット線
Ｃ                      ミシン目
【図１】
2014136339.tif 000003
【図２】
2014136339.tif 000004
【図３】
2014136339.tif 000005
【図４】
2014136339.tif 000006